(57)【特許請求の範囲】
【請求項１】
麻雀牌の各牌１の絵柄面１０に、その牌の種類に対応させてそれぞれ付設しておくバーコードＣ…と、そのバーコードＣを読み取るバーコードリーダＲと、そのバーコードリーダＲにより読み取られたデータ信号から牌１…の特定およびそれらの配列・組合せにより手牌Ａの役手の判断と点数の演算を行うデータ処理部４と、そのデータ処理部４により判別した役手と演算した点数を表示する表示部５と、からなり、上がりを得たゲーム者の手牌Ａの各牌１のバーコードＣ…を、バーコードリーダＲに読み取らすことによりその手牌Ａの上がり役および点数を表示部５に表示させるようにした麻雀ゲームにおける上がり役および点数の自動判別告知装置において、バーコードリーダＲを、それのボディ６０を手で把持して操作し得るハンディタイプの形態に形成し、かつ、それのボディ６０に、牌１に付設したバーコードＣを牌１との対面により読み取る読取部６１と、その読取部６１により読み取った各牌１…のバーコードＣのデータ信号から牌１の特定およびそれの配列・組合せにより上がり役の判別と点数の演算を行うデータ処理部４と、そのデータ処理部４で判別した上がり役および演算した点数を表示する表示部５とを、装備せしめたことを特徴とする麻雀ゲームにおける上がり役および点数の自動判別告知装置。
【請求項２】
麻雀牌の各牌１の絵柄面１０に、その牌の種類に対応させてそれぞれ付設しておくバーコードＣ…と、そのバーコードＣを読み取るバーコードリーダＲと、そのバーコードリーダＲにより読み取られたデータ信号から牌１…の特定およびそれらの配列・組合せにより手牌Ａの役手の判別および点数の演算を行うデータ処理部４と、そのデータ処理部４により判別した役手と演算した点数を表示する表示部５と、からなり、上がりを得たゲーム者の手牌Ａの各牌１のバーコードＣ…を、バーコードリーダＲに読み取らすことによりその手牌Ａの上がり役および点数を表示部５に表示させるようにした麻雀ゲームにおける上がり役および点数の自動判別告知装置において、牌整列装置ｄを収蔵せる機枠２ａの上面に開閉自在に設ける天板２１により麻雀卓２が形成される自動麻雀卓Ｗにおける前記天板２１の周囲の縁枠２０の各辺縁部の長手方向の中間部位に、バーコードリーダＲの読取部６１を、下向きの姿勢で麻雀卓２の卓面側に庇状に突出させて装設し、この読取部６１により読み取らせた麻雀牌のバーコードＣのデータ信号を入力して分析処理するデータ処理部４とそのデータ処理部４で分析・判別し演算させた上がり役および点数を表示させる表示部５とを、機枠２ａまたは麻雀卓２の所望の部位に装設し、上がりを得たゲーム者が絵柄面１０を晒して整列させた手牌ＡをバーコードリーダＲの読取部６１の下面側を通過させることにより、その手牌Ａの上がり役および点数を表示部５に表示させるようにしたことを特徴とする麻雀ゲームにおける上がり役および点数の自動判別告知装置。
【発明の詳細な説明】
【０００１】
【発明が属する技術分野】
本発明は、麻雀のゲームにおいて、ゲーム者のゲーム中の手牌の、役手およびそれの上がり役の点数を自動で判別し演算して、ゲーム者に告知し得るようにする麻雀ゲームにおける役手および点数の自動判別告知装置に関する。
【０００２】
【従来の技術】
麻雀ゲームにおいて、ゲーム中に、テンパイしたゲーム者の役手および点数を自動で判別して計算する手段としては、麻雀の牌１の内部で、その牌１の文字・絵柄を表示した絵柄面１０と反対側の裏面側１１に、各牌１を識別するための小片状とした多数の磁石ａ…を、例えば、図１に示しているように、３４種×４個＝１３６牌の麻雀牌を種ごとに識別する配列パターンに配列して埋設しておく。
【０００３】
別に、麻雀ゲームを行う麻雀卓２には、図２に示しているように、例えば、その麻雀卓２の四つの辺縁部に、各ゲーム者が上がりを得たときの手牌を絵柄面１０を晒した状態として整列させて配置するための載置部ｂ…を設定しておき、麻雀卓２の内部には、この設定した各載置部ｂの下方に位置する各部位に、図３に示しているように、前記各牌１…内に埋設した多数の磁石ａ…のそれぞれに各別に感応するように、それら配列パターンの磁石ａ…に対応させて、ホール素子ｃ…を配設した牌読取基板３…を、１８枚〜２０枚づつ並列させて設置しておき、かつ、これら牌読取基板３…のそれぞれのホール素子ｃ…と接続するデータ処理部４…をそれぞれ設置しておいて、各牌読取基板３が対応する麻雀牌１の磁石ａ…の配列パターンから、それの種類を検出させ、この検出した麻雀牌の種類ごとの情報信号を、データ処理部４に送り、そこで、上がり役と点数を演算させ、このデータ処理部４で処理されたデータ信号を表示する液晶パネルのディスプレーよりなる表示部５を、麻雀卓２の上面で、前述の各載置部ｂ…の近傍における適宜位置に設置することで構成してある。
【０００４】
そして、これにより、ゲーム中に、ゲーム者があがったときに、その手牌を、それらの絵柄面１０が表に向かう姿勢に揃えて、載置部ｂ上に整列させることで、この整列して並ぶ手牌の各牌１…の種類を、それらの裏面側に埋設してある磁石ａ…の配列から、それらに対向する各牌読取基板３…のホール素子ｃ…により読み取らせて、その信号をデータ処理部４に送り、そこで、手牌の上がり役の判別と点数の演算を行い、その結果を液晶表示部５に表示するようにしている。
【０００５】
【発明が解決しようとする課題】
上述の従前手段は、役手を読み取らせるのに、麻雀牌の各牌１…に、それの種類を識別させるための磁石ａ…を各別の配列パターンとして埋め込むことから、３４種×４個＝１３６牌の麻雀牌を専用に作ることが必要で、このための費用が嵩む問題がある。
【０００６】
また、これら、専用に作った麻雀牌を使用して、ゲームを行い、これにより、テンパイして上がった手牌を、載置部ｂに整列させて、それの下方に配位して麻雀卓２の内部に組み込んでおく牌読取基板３…に読み取らせて役手と点数の判別を行わせるのに、これら牌読取基板３…を、２０枚×４＝８０枚の数だけ形成して、これを４つの各載置部ｂ…の下方に整列させて装設しておかなければならず、この８０枚の牌読取基板３…を作ることと、これらの各牌読取基板３…に設けるホール素子ｃ…で検出する信号をデータ処理部４において判別処理させるために、それら各牌読取基板３…のホール素子ｃ…に接続させる多数の信号回路を要することで、これのためのコストが嵩む問題があり、このため、高価な商品としている。
【０００７】
本発明は、従来手段に生じているこれらの問題を解決するためになされたものであって、麻雀ゲームにおいて、ゲーム者がテンパイして上がりを得たときに、それの上がり役と点数の判断を自動で行わすのが、安価なコストで得られるようにする新たな手段を提供することを目的とする。
【０００８】
【課題を解決するための手段】
そして、本発明においては、この目的を達成するための手段として、特許請求の範囲の請求項１に記載した、
麻雀牌の各牌１の絵柄面１０に、その牌の種類に対応させてそれぞれ付設しておくバーコードＣ…と、そのバーコードＣを読み取るバーコードリーダＲと、そのバーコードリーダＲにより読み取られたデータ信号から牌１…の特定およびそれらの配列・組合せにより手牌Ａの役手の判断と点数の演算を行うデータ処理部４と、そのデータ処理部４により判別した役手と演算した点数を表示する表示部５と、からなり、上がりを得たゲーム者の手牌Ａの各牌１のバーコードＣ…を、バーコードリーダＲに読み取らすことによりその手牌Ａの上がり役および点数を表示部５に表示させるようにした麻雀ゲームにおける上がり役および点数の自動判別告知装置において、バーコードリーダＲを、それのボディ６０を手で把持して操作し得るハンディタイプの形態に形成し、かつ、それのボディ６０に、牌１に付設したバーコードＣを牌１との対面により読み取る読取部６１と、その読取部６１により読み取った各牌１…のバーコードＣのデータ信号から牌１の特定およびそれの配列・組合せにより上がり役の判別と点数の演算を行うデータ処理部４と、そのデータ処理部４で判別した上がり役および演算した点数を表示する表示部５とを、装備せしめたことを特徴とする麻雀ゲームにおける上がり役および点数の自動判別告知装置。
を提起し、また、これに併せて、請求項２に記載した、
麻雀牌の各牌１の絵柄面１０に、その牌の種類に対応させてそれぞれ付設しておくバーコードＣ…と、そのバーコードＣを読み取るバーコードリーダＲと、そのバーコードリーダＲにより読み取られたデータ信号から牌１…の特定およびそれらの配列・組合せにより手牌Ａの役手の判別および点数の演算を行うデータ処理部４と、そのデータ処理部４により判別した役手と演算した点数を表示する表示部５と、からなり、上がりを得たゲーム者の手牌Ａの各牌１のバーコードＣ…を、バーコードリーダＲに読み取らすことによりその手牌Ａの上がり役および点数を表示部５に表示させるようにした麻雀ゲームにおける上がり役および点数の自動判別告知装置において、牌整列装置ｄを収蔵せる機枠２ａの上面に開閉自在に設ける天板２１により麻雀卓２が形成される自動麻雀卓Ｗにおける前記天板２１の周囲の縁枠２０の各辺縁部の長手方向の中間部位に、バーコードリーダＲの読取部６１を、下向きの姿勢で麻雀卓２の卓面側に庇状に突出させて装設し、この読取部６１により読み取らせた麻雀牌のバーコードＣのデータ信号を入力して分析処理するデータ処理部４とそのデータ処理部４で分析・判別し演算させた上がり役および点数を表示させる表示部５とを、機枠２ａまたは麻雀卓２の所望の部位に装設し、上がりを得たゲーム者が絵柄面１０を晒して整列させた手牌ＡをバーコードリーダＲの読取部６１の下面側を通過させることにより、その手牌Ａの上がり役および点数を表示部５に表示させるようにしたことを特徴とする麻雀ゲームにおける上がり役および点数の自動判別告知装置。
を提起するものである。
【０００９】
【発明の実施の形態】
本発明手段による麻雀卓における役手および点数の自動判別告知装置は、ゲーム中に上がりを得たゲーム者の手牌の各牌の種類の読み取りを、読み取り手段により自動で行わせ、これをデータ処理部において特定した手牌の組合せを分析・判断させて、役手の判別および点数の演算を行わせ、表示部に役手と点数を表示させることについては、従来手段と変わりないが、上がりを得たゲーム者の手牌の読み取りについていえば、麻雀牌の各牌に、牌の種類ごとのバーコードＣを、例えば、図４に示しているように、牌１の絵柄面１０の周縁部位に記載しておき、これをバーコードリーダＲに読み取らせることで行うようにする。
【００１０】
しかし、ここで用いるバーコードリーダＲは、図５に示しているように、それのボディ６０を手で把持して操作するハンディ式のものとし、かつ、それのボディ６０の先端部に、牌１との対面により牌１に付設したバーコードＣを読み取る読取部６１を設け、ボディ６０内には、ボディ６０の先端部に設けた読取部６１で読み取ったデータの信号から、牌１…の特定およびそれらの配列・組合せにより役手の判断と点数の演算を行わすデータ処理部４を収蔵せしめ、さらに、そのデータ処理部４により判別し演算せしめた役手と点数を表示させる液晶パネルのディスプレーよりなる表示部５と各種操作ボタン６２…を外面側に設けておいて、これにより、ゲーム中にゲーム者が上がりを得て、手牌Ａを、それの絵柄面１０を上向きに晒した姿勢として場に整列させたときに、その整列させた手牌Ａの各牌１…の絵柄面１０…の上面に対し、このハンディ式のバーコードリーダＲの読取部６１を整列させた手牌Ａの端から順次通過させていくことで、読み取りと判別とが自動で行われるように構成する。
【００１１】
また、このバーコードリーダＲは、それの読取部６１を上向きの姿勢として、麻雀卓２の卓面に固定して装設しておき、このバーコードリーダＲに対し上がりを得たゲーム者がそれの手牌Ａを端から順次スライドさせて通過させるようにすることで、その上がりを得たゲーム者の手牌Ａの各牌１に符したバーコードＣ…の読み取りが行えるようにしてもよい。
【００１２】
この場合は、図６および図７に示しているように、牌整列装置ｄを収蔵せしめた機枠２ａの上面に開閉自在に天板２１を組み付け、この天板２１により麻雀卓２を構成している自動麻雀卓Ｗについて具体的にいえば、天板２１により構成される麻雀卓２の、それの周囲を囲う四角な囲い枠状の縁枠２０の各辺縁部の内側位置の、その各辺縁部の長手方向の中間に位置する部位における麻雀卓２の下面側に、それぞれバーコードリーダＲ…を配設し、それらバーコードリーダＲ…の各読取部６１を、上向きの姿勢として、図６に示しているように、麻雀卓２の卓面の前述の部位に開設しておく窓穴を介して、その麻雀卓２の卓面の上面側に対し覗かせておき、ゲーム中に上がりを得たゲーム者がでたときは、手牌Ａを、それの絵柄面１０が下向きの伏せた姿勢に倒して、そのゲーム者の場の縁枠２０の辺縁部の内側位置の左右方向の一側位置に図７において実線に示しているように寄せて整列させ、これを、縁枠２０の内壁面に沿わせて他側にスライドさせ、整列した手牌Ａの端の牌１から順次バーコードリーダＲの読取部６１の上面を通過させ、その手牌Ａの全部が同図７において鎖線に示しているようにバーコードリーダＲの読取部６１の上面を通過することで、手牌Ａの全部の牌１の各絵柄面１０に記入しておいたバーコードＣ…がそのバーコードリーダＲの読取部６１により読み取られて、整列させた手牌Ａの各牌１…の特定が行われるようにすることが有効である。
【００１３】
そして、この場合は、バーコードリーダＲは、それのボディ６０を、読取部６１だけが収蔵された形態とし、その読取部６１で読み取った各牌１…に付設のバーコードＣ…のデータ信号を入力してデータの分析・処理を行わすデータ処理部４…をバーコードリーダＲのボディ６０の外に出し、図６に示しているように、機枠２ａ内の適宜の個所に取り付け、また、このデータ処理部４でのデータ信号の分析による上がり役の判別および演算される点数を表示する表示部５も、図７に示しているように、機枠２ａの上面の四つの辺縁部に、四人のゲーム者の各場に対応する部位に装設するようにしてよい。
【００１４】
また、上がり役および点数を表示する表示部５は、麻雀卓２が、自動麻雀卓Ｗの機枠２ａの上面に設ける天板２１により構成され、その天板２１の中央部位に、電子制御により振り出すサイコロの出目を表示するための液晶パネルのディスプレーが設けてある場合にあっては、このディスプレーを利用して表示部５とし、ここに上がり役および点数を表示させるようにしてよい。
【００１５】
また、このように麻雀卓２に固定して設けるバーコードリーダＲ…は、例えば、図８・図９に示しているように、読取部６１が下向きの姿勢となるようにして、天板２１の周囲の縁枠２０の各辺縁部に組み付けておくことにより、上がりを得たゲーム者は、それの手牌Ａを絵柄面１０が上向きの場に晒した状態において、その手牌ＡをこのバーコードリーダＲの読取部６１の下方を通過させることで、その手牌Ａの上がり役および点数を表示部５に自動的に表示させ得るようになる。
【００１６】
また、このように、麻雀牌のそれぞれに種類を表示するバーコードＣ…を付しておいて、ゲーム中にゲーム者が上がりを得たときに、それの手牌Ａの各牌１…のバーコードＣ…を、バーコードリーダＲに読み取らせて、データ処理部４により上がり役と点数を演算させ、それを表示部５に表示させる手段は、麻雀牌のそれぞれに種類に応じて付設しておくバーコードＣ…の読み取りを行わすバーコードリーダＲを、図５に示しているようにハンディ式の形態のものとし、それのボディ６０にデータ処理部４と表示部５とを組み付けて、バーコードリーダＲの操作により、麻雀牌のそれぞれに付したバーコードＣ…の読み取りと上がり役および点数の演算と表示部５への表示が行えるようにした場合にあっては、雀荘での使用に際し、このハンディ式のバーコードリーダＲを、要望のあるものに対して貸し出すようにし、かつ、ゲーム者の点数の管理および注文された飲食物の把握、ゲーム終了までの麻雀卓の使用時間等を取り込める機能を付加しておいて、ゲーム終了時の返却の際に、取り込んであるデータを雀荘に装備しておくホストコンピュータに取り込ませることで、ゲーム料・飲食代の精算が行えるシステムにも使用できる。
【００１７】
【発明の効果】
以上説明したように、本発明による麻雀ゲームにおける役手および点数の自動判別告知装置は、ゲームに使用する麻雀牌には、それの牌の絵柄面に、その牌の種類に対応するバーコードを付設しておいて、ゲーム中に上がりを得たゲーム者が、それの手牌の各牌のバーコードをバーコードリーダに読み取らせることで、その手牌の各牌の種類と構成を検出させ、それをデータ処理部により分析・判別処理させて、表示部に上がり役と点数を表示させるようにしているのだから、従前のホール素子および牌読取基板を用いる手段に比し、著しくコストを低減した自動判別告知装置が得られるようになる。
【図面の簡単な説明】
【図１】  従前の役手および点数の自動判別告知装置に用いられる麻雀牌の裏面側から見た斜視図である。
【図２】  同上の役手および点数の自動判別告知装置を装備せる自動麻雀卓の平面図である。
【図３】  同上の役手および点数の自動判別告知装置に用いられる牌読取基板の斜視図である。
【図４】  本発明による役手および点数の自動判別告知装置に用いる麻雀卓の斜視図である。
【図５】  同上の自動判別告知装置に用いるバーコードリーダの斜視図である。
【図６】  同上の自動判別告知装置の別の実施例の縦断面図である。
【図７】  同上の自動判別告知装置の実施例の平面図である。
【図８】  同上の自動判別告知装置のさらに別の実施例の縦断面図である。
【図９】  同上の実施例の平面図である。
【符号の説明】
Ａ…手牌、Ｃ…バーコード、Ｒ…バーコードリーダ、Ｗ…自動麻雀卓、ａ…磁石、ｂ…載置部、ｃ…ホール素子、ｄ…牌整列装置、１…牌、１０…絵柄面、１１…裏面側、２…麻雀卓、２ａ…機枠、２０…縁枠、２１…天板、３…牌読取基板、４…データ処理部、５…表示部、６０…ボディ、６１…読取部、６２…操作ボタン。
【図１】
0003722730.tif 000002
【図２】
0003722730.tif 000003
【図３】
0003722730.tif 000004
【図４】
0003722730.tif 000005
【図５】
0003722730.tif 000006
【図６】
0003722730.tif 000007
【図７】
0003722730.tif 000008
【図８】
0003722730.tif 000009
【図９】
0003722730.tif 000010